(57)【要約】【課題】記録紙の補充が直ちに出来ないような場合に、記録紙の残量が少なくなったとき、記録紙がなくなるのを遅らせ、かつ、受信画像のおおよその内容が確認できるようにする。【解決手段】プリントエンジン部３０の記録紙収容手段内の記録紙の残量が一定量以下になった後に、システムコントローラ部２０が公衆回線を介して画像情報を受信したとき、その第１ページのみを選択して記録紙に記録し、残りのページは記憶手段に保持しておき、記録紙の残量が一定量を超えたときに記録紙に記録出力する。残りページが記憶手段に保持されている場合、第１ページの余白にはその旨を記録する。【選択図】　図１
2004140501.tif 000002
【特許請求の範囲】
【請求項１】
画像情報を送受信する通信手段と、
複数の受信画像情報を蓄積記憶する記憶手段と、
複数枚の記録紙を収容する記録紙収容手段と、
この記録収容手段から給紙された記録紙に画像情報を記録する記録手段と、
前記記録紙収容手段内の記録紙の残量を検知する検知手段と、
記録紙の残量が一定量以下になった場合、各受信画像情報の第１ページのみを選択して記録紙に記録し、残りのページは前記記憶手段に保持しておき、記録紙の残量が一定量を超えたときに記録紙に記録出力するよう、前記記憶手段および前記記録手段を制御する制御手段と、
を備えたことを特徴とするファクシミリ装置。
【請求項２】
前記制御手段は、記録紙の残量が一定量以下になった場合、各受信画像情報の第１ページのみを選択して記録紙に記録し、残りのページは前記記憶手段に保持しておき、記録紙の残量が一定量を超えた時に記録紙に記録出力する第１の出力モードに加えて、記録紙の残量に関わらず記録紙の存在するかぎり記録出力を許容する第２の出力モードとを所定の条件に基づいて選択することを特徴とする請求項１記載のファクシミリ装置。
【請求項３】
前記所定の条件は、ユーザによる明示の指定であることを特徴とする請求項２記載のファクシミリ装置。
【請求項４】
前記所定の条件は、予め定められた時間帯であることを特徴とする請求項２記載のファクシミリ装置。
【請求項５】
記録紙の残量が一定量以下になった場合はその旨を表示する表示手段を備えたことを特徴とする請求項１記載のファクシミリ装置。
【請求項６】
記録紙の残量が一定量以下になった場合は、記録紙の補充または出力モードの変更を促す手段を備えたことを特徴とする請求項２記載のファクシミリ装置。
【請求項７】
記録紙に任意の文字情報を付加する文字データ展開手段を有し、第１ページのみを記録したときに残りのページが前記記憶手段の中にある場合は、その旨を前記第１ページの余白部分に記録することを特徴とする請求項１記載のファクシミリ装置。
【請求項８】
前記残りページが未出力である受信画像情報を管理する手段を備え、
前記余白部分に当該受信画像情報を特定する管理情報を記録することを特徴とする請求項７記載のファクシミリ装置。
【請求項９】
ユーザが前記管理情報に基づいて当該受信画像情報を特定する手段と、
記録紙の補充前であっても、当該特定された受信画像情報の残りページを強制的に記録する手段と、
を備えたことを特徴とする請求項８記載のファクシミリ装置。
【請求項１０】
ユーザが前記管理情報に基づいて当該受信画像情報を特定する手段と、
当該特定された受信画像情報の残りページを強制的に消去する手段と、
を備えたことを特徴とする請求項８記載のファクシミリ装置。
【発明の詳細な説明】
【０００１】
【発明の属する技術分野】
本発明は、受信画像データをメモリに蓄積する機能および記録紙の残量を検出する機能を有するファクシミリ装置に関する。
【０００２】
【従来の技術】
ファクシミリ装置では、近年、記録部にレーザービームプリンタを用いた機種を代表として、大容量の画像情報蓄積メモリを備え、送信されてきた画像情報をこの画像情報蓄積メモリに一旦蓄積し、これを読み出して記録することが可能となっている。また、装置内の記録紙がなくなっても画像情報はメモリに蓄積されているので、記録紙を後で補充することにより、記録を再開でき、画像情報を失ったり、ファクシミリ受信が出来なくなることは少なくなっている。
【０００３】
【発明が解決しようとする課題】
しかし、記録紙がなくなった場合、画像蓄積メモリに蓄積された受信画像は記録紙を補充して記録出力されるまでは内容の確認が出来ない。また、メモリに蓄積されているだけでは、紙が出力される場合に比べて、受信したこと自体に気付きにくい。記録紙がなくなったことに気付かない場合もある。また、大量のページの受信を受けた場合、全ページを出力する途中で記録紙がなくなってしまう場合もある。さらに、ファクシミリ受信はユーザの不在時にも行われうる。このような事情から、記録紙がなくなっても直ちに補充できない場合があるのが実情である。
【０００４】
ところで、一般にファクシミリ通信においては、複数ページの画像情報（文書）が送信されてくる場合も、第１ページ（送り状であることが多い）を見れば、その内容がおおよそ確認できることが多い。
【０００５】
本発明はこのような背景においてなされたものであり、その目的は、記録紙の補充が直ちに出来ないような場合に、記録紙がなくなるのを遅らせ、かつ、受信画像のおおよその内容が確認できるファクシミリ装置を提供することにある。
【０００６】
【課題を解決するための手段】
本発明によるファクシミリ装置は、画像情報を送受信する通信手段と、複数の受信画像情報を蓄積記憶する記憶手段と、複数枚の記録紙を収容する記録紙収容手段と、この記録収容手段から給紙された記録紙に画像情報を記録する記録手段と、前記記録紙収容手段内の記録紙の残量を検知する検知手段と、記録紙の残量が一定量以下になった場合、各受信画像情報の第１ページのみを選択して記録紙に記録し、残りのページは前記記憶手段に保持しておき、記録紙の残量が一定量を超えたときに記録紙に記録出力するよう、前記記憶手段および前記記録手段を制御する制御手段とを備えたことを特徴とする。
【０００７】
記録紙の残量が一定量以下になった場合には、以後、受信される画像情報は、複数ページであってもその第１ページのみが記録紙に出力される。したがって、記録紙の消費が最小限に押さえられる。なおかつ、各受信画像情報の一部の内容だけでも出力された記録紙から判断できる。
【０００８】
前記制御手段は、記録紙の残量が一定量以下になった場合、各受信画像情報の第１ページのみを選択して記録紙に記録し、残りのページは前記記憶手段に保持しておき、記録紙の残量が一定量を超えた時に記録紙に記録出力する第１の出力モードに加えて、記録紙の残量に関わらず記録紙の存在するかぎり記録出力を許容する第２の出力モードとを所定の条件に基づいて選択するようにしてもよい。これにより、状況に応じて、適切な出力モードを選択することができる。
【０００９】
前記所定の条件は、ユーザによる明示の指定であっても、あるいは、予め定められた時間帯であってもよい。
【００１０】
記録紙の残量が一定量以下になった場合はその旨を表示する表示手段を備えることが好ましい。
【００１１】
出力モードが選択できる場合には、記録紙の残量が一定量以下になったとき、記録紙の補充または出力モードの変更を促す手段を備えてもよい。
【００１２】
記録紙に任意の文字情報を付加する文字データ展開手段を有してもよく、この場合、第１ページのみを記録したときに残りのページが前記記憶手段の中にあるときは、その旨を前記第１ページの余白部分に記録する。これにより、ユーザは残りのページが記憶手段内にあることを認識することができる。
【００１３】
前記残りページが未出力である受信画像情報を管理する手段をさらに備え、前記余白部分に当該受信画像情報を特定する管理情報を記録するようにしてもよい。この場合、ユーザが前記管理情報に基づいて当該受信画像情報を特定し、記録紙の補充前であっても、当該特定された受信画像情報の残りページを強制的に記録させることができる。あるいは、ユーザが前記管理情報に基づいて当該受信画像情報を特定し、当該特定された受信画像情報の残りページを強制的に消去することも可能である。
【００１４】
【発明の実施の形態】
以下、本発明の好適な実施の形態について、図面により詳細に説明する。
【００１５】
図１は、本実施の形態によるファクシミリ装置の全体ブロック図である。装置は大きく分けて、送信対象の原稿を読み取るための画像読取部１０、受信画像の記録を行うためのプリントエンジン部３０、送信先電話番号の入力や、送信解像度、受信モード等を設定するための操作部４０、および、公衆回線とつながり、ファクシミリ画像の受信と読取画像を送信するためのシステムコントローラ部２０からなる。操作部４０および画像読取部１０はシステムコントローラ部２０にて制御される。
【００１６】
図２はシステムコントローラ部２０の内部構成を示すブロック図である。システムコントローラ部２０は以下の構成をとる。
【００１７】
システムバス２０２に繋がる要素として、次のものがある。
１．ＣＰＵ（Ｃｅｎｔｒａｌ　Ｐｒｏｃｅｓｓｉｎｇ　Ｕｎｉｔ）２０１は、このシステム全体の処理を司る処理手段である。
２．ＲＯＭ（Ｒｅａｄ　Ｏｎｌｙ　Ｍｅｍｏｒｙ）２０３は、プログラムおよびフォントデータを格納する、通常読み出し専用の不揮発性メモリである。
３．ＲＡＭ（Ｒａｎｄｏｍ　Ａｃｃｅｓｓ　Ｍｅｍｏｒｙ）２０４は、プログラムの１次使用変数および各種設定情報を格納するメモリであり、電池２０５によりバックアップされる。
４．ＲＴＣ（Ｒｅａｌ　Ｔｉｍｅ　Ｃｌｏｃｋ）２０６は、時刻を刻み、日付や時間を管理するカレンダ・タイマを構成する。
５．タイマ２０７は、ＣＰＵ２０１に対し一定間隔で割り込みを発生する部位である。
６．操作部２０８は、ユーザインタフェースを提供する部位（図１の操作部４０に対応）であり、操作情報を表示する表示部であるＬＣＤ（Ｌｉｑｕｉｄ　Ｃｒｙｓｔａｌ　Ｄｉｓｐｌａｙ）２１０と、操作を受け付けるＫＥＹマトリックス２０９とが接続される。
７．読取部駆動回路２１１は、原稿の読取装置の駆動のための部位であり、原稿を搬送するモータ２１２、ソレノイド２１３、原稿の有無や先端を検知するセンサ２１４が接続される。
８．ＳＣＩ（Ｓｅｒｉａｌ　Ｃｏｍｍｕｎｉｃａｔｉｏｎ　Ｉｎｔｅｒｆａｃｅ）２２１は、プリントエンジン（図示せず）とのシリアルインタフェースを司る部分であり、通信でコマンドを発行し、エンジンステータスを受け取る。
９．Ｆａｘコントロール回路２２４は、ＦＡＸの送受信制御を行う部位であり、公衆回線と繋がるＮＣＵ（Ｎｅｔｗｏｒｋ　Ｃｏｎｔｒｏｌ　Ｕｎｉｔ）２２６、回線上の信号をデータに変換するＭＯＤＥＭ（Ｍｏｄｕｌａｔｏｒ／Ｄｅｍｏｄｕｌａｔｏｒ）２２５を有する。
【００１８】
さらに、システムバス２０２とは別に、画像データを扱うイメージデータバス２３２があり、これには次のような要素が接続される。
１０．画像読取回路２３５は、Ａ／Ｐ（Ａ／Ｄ）回路、シェーディング回路、解像度変換回路、γ変換回路、エッジ強調フィルタ回路、２値化回路等の各回路を有し、ＣＣＤ２３７からの画像データをイメージメモリ２３２に格納可能な情報に変換する。
１１．イメージメモリ２３２は、画像データを格納する記憶手段であり、２次電池２３６でバックアップされ、停電時でも一定時間データの保持が可能となっている。イメージデータはＤＭＡコントローラ２３３により、画像読取回路２３５およびビデオＩ／Ｆ回路２３１との間でＤＭＡによる高速データ転送が可能である。また、ＪＢＩＧ圧縮／伸張回路２３４によりイメージデータを効率的に格納することができる。
１２．ビデオＩ／Ｆ回路２３１は、イメージメモリ２３２から画像データを取り出し、解像度をプリントエンジンに合わせる解像度変換を行うとともに、スムージング回路を通し、ビデオ信号を生成し、プリントエンジン部３０からの同期信号に合わせビデオ信号を出力する。
【００１９】
なお、イメージメモリ２３２はバスブリッジ２２２を介してＣＰＵ２０１からのアクセスが可能である。
【００２０】
図３はプリントエンジン部３０の内部構成を示すブロック図である。プリントエンジン部３０は、一般的なレーザービームプリントエンジン部であり、以下のような要素からなる。
１．ＣＰＵ３０１は、プリントエンジン部３０全体の処理を司る処理手段である。
２．ＲＯＭ３０２は、ＣＰＵ３０１の実行するプログラムおよび制御用データテーブル等を格納する、通常読み出し専用の不揮発性メモリである。
３．ＲＡＭ３０３は、プログラムで使う変数およびフラグ、各種データ等を格納するためのメモリである。
４．タイマ３０４は、一定間隔でＣＰＵ３０１に割り込みを発生する手段を構成する。
５．システムコントローラＩ／Ｆ３０５は、システムコントローラ部２０からのコマンドを受け取り、エンジン状態を返答するステータスのシリアルＩ／Ｆと、後述のレーザスキャナ制御回路３０６からの同期信号をプリント可能時だけシステムコントローラ部２０に送出する回路、およびビデオ信号の入出力回路を有する。
６．レーザスキャナ制御回路３０６は、ポリゴンミラー（図示せず）を回転させるポリゴンモータ３０８を一定回転速度に制御するとともに、ビデオ信号によりレーザ３０７を発光させる機能を有する。
７．ＤＣドライブ回路３１１は、記録紙搬送モータ３２１および給紙クラッチ３２２をＣＰＵ３０１の指示により制御する部位である。
８．ＡＣドライブ回路３１２は、記録紙上のトナーを熱定着するための定着ヒータ３２３の駆動回路と、安全回路としての温度ヒューズ３２４とを備えている。
９．Ａ／Ｄ回路３１３は、定着器の温度センサとしての定着サーミスタ３２５のアナログ情報をデジタル変換する部位であり、この情報は定着器の温度制御に使用される。
１０．高圧ドライブ回路３１４は、電子写真プロセスの帯電３２６、現像３２７、転写３２８の各バイアス電圧を発生させる部位である。
１１．センサ入力回路３１５は、各種メカニズムに装着された各種センサからの入力回路である。各種センサとしては、記録紙の有無を確認する記録紙有無センサ３２９、記録紙の残りが一定量以下になったときに反応する記録紙ニアエンドセンサ３３０、給紙された記録紙がどこにあるかを示すレジ前センサ３３１、排紙センサ３３２等がある。これらのセンサとしては任意の公知のものを利用することが可能である。
【００２１】
なお、操作部４０は、通常、操作パネル上に液晶表示装置やインジケータのような表示部、および各種操作キーのような入力部を備えている。表示部には、後述する記録紙の残量が一定量以下になったニアエンド検出時の記録紙補充の指示などの各種警告やメッセージを表示する。また、操作部４０は、ユーザによる後述するモードの選択などのユーザインタフェースを提供する。
【００２２】
次に、本実施の形態のファクシミリ装置の基本的な受信・記録動作について説明する。
【００２３】
図４にシステムコントローラ部２０の処理のメインループを示す。本発明のようなファクシミリ装置では処理として、プリントエンジン部の状態監視、受信状態の監視、記録処理、送信管理の処理をシーケンシャルに行ったり、同時に並行処理している。しかしこの図では、便宜上、各ステップを直列に並べて図示している。
【００２４】
システムコントローラ部２０は、通常待機状態では一定時間間隔でプリントエンジン部３０に対し、エンジン状態確認コマンドを発行し、プリントエンジン部に記録紙が有るか、記録紙の残量が一定以上あるかどうか等をエンジンからの返送ステータスで確認し、エンジンが記録動作可能かどうかを監視している（Ｓ１１）。また、公衆回線からの受信を監視している（Ｓ１２）。さらに、操作部４０に対するユーザの操作の有無も監視している（Ｓ１３）。これらの受信や操作に応じて記録処理が行われる（Ｓ１４）。また、送信管理処理も行われる（Ｓ１５）。
【００２５】
受信監視処理（Ｓ１２）では、公衆回線を介して送信元からの着呼を確認すると、システムコントローラ部２０はＦＡＸコントロール回路２２４を動作させ受信動作を開始する。受信データはＭＲ，ＭＭＲ等の形式で圧縮されており、ＣＰＵ２０１は圧縮データを伸張し、バスブリッジ２２２を経由してイメージメモリ２３２に格納される。このときイメージデータはＪＢＩＧ圧縮回路により圧縮された後格納される。受信データは画像１ページ分ごとに管理され、１ページ分の画像の受信が完了した時点で、プリントエンジン部が記録可能な状態であれば記録処理が開始される。
【００２６】
記録処理（Ｓ１４）では、システムコントローラ部２０はイメージメモリ２３２から画像データをビデオＩ／Ｆ回路２３１にＤＭＡ転送する準備を行い、プリントエンジン部３０に対し、プリント開始コマンドを発行する。プリント開始コマンドを受けたプリントエンジン部３０は、記録紙搬送モータ３２１とポリゴンモータ３０８の回転と定着ヒータ３２３の温度制御を開始する。ポリゴンモータ３０８の回転が所定の回転数に達し、定着ヒータの温度が所定の温度に達し、エンジンが記録処理可能な状態になると、ＣＰＵ３０１は給紙クラッチ３２２を動作させると共に、帯電、現像、転写、定着の電子写真プロセスの一連のシーケンスを開始する。給紙開始された記録紙がレジ前センサ３３１を通過し、記録紙の所定の位置に画像を記録できるタイミングと判断すると、プリントエンジン部３０はシステムコントローラ部２０に画像同期信号の出力を開始する。システムコントローラ部２０は画像データをイメージメモリ２３２から読み出し、ＪＢＩＧデータに伸張しつつＤＡＭ転送でビデオＩ／Ｆ回路２３１に送る。ビデオＩ／Ｆ回路２３１で画像データはプリンタエンジンの解像度に合わせ解像度変換され、スムージング処理等の画像処理を加えられた後、ビデオ信号となり、画像同期信号に同期してプリントエンジン部３０に出力される。以後、画像はプリントエンジン部３０において電子写真プロセスにより記録紙上に形成される。
【００２７】
次に、データの保持形式について説明する。図５に、本実施の形態において用いる各種データブロックの構造およびその内容例１を示す。図５の各データブロックの各項目の右側の対応する高さ位置には、各データブロック項目の具体的な数値や内容の１または複数の例を示している。ここでは、受信ジョブ管理ブロック４０１、受信ファイル管理ブロック４０２、ページ管理ブロック４０３、画像データブロック４０４を用意している。
【００２８】
本実施の形態では、記録紙収容手段としての記録紙カセット（図示せず）に記録紙がないときや記録紙残量が少ない（ニアエンド）状態のとき、イメージメモリ２３２に受信画像をためておくために、受信画像を１受信ごとにファイルとして管理し格納する。また、１受信ファイルはページごとに管理する。イメージメモリ２３２は、画像データブロック４０４として、一定量の大きさのブロック（例えば４ｋバイト）ごとに管理されている。各受信ファイルには受信ファイル管理ブロック４０２に受信の状態、総ページ数等必要な情報が格納される。ファイル管理ブロックは、受信ジョブ管理ブロック４０１において受信の順にキューに繋がっている。ページごとの情報もページ管理ブロック４０３で管理され、各ページの画像データがイメージメモリのどこ（どの画像データブロック）にあるかがわかるようになっている。
【００２９】
この例１では、記録紙のない状態で、まず、３ぺージ分のファイルを受信し、ついで２ページ分のファイルを受信し、さらに３ページ分のファイルを受信し、この最後のファイルの３ぺージ目を受信中に記録紙が補充され記録を開始したときのデータ保持の状態を表している。
【００３０】
このときの受信ジョブ管理ブロック４０１は、その「受信ファイル総数」が”３”となり、「先頭受信ファイル管理ブロックアドレス」および「最終受信ファイル管理ブロックアドレス」がアドレス”１００Ｈ”および”３００Ｈ”である状態を表している（ここにＨは１６進数を示す）。
【００３１】
より具体的には、受信ファイル管理ブロック４０２は、各受信ファイルについて生成され、「ファイル番号」「次ファイル管理ブロックアドレス」「前ファイル管理ブロックアドレス」「受信状態」「記録状態」「総ページ数」「受信済みページ数」「記録済みページ数」「受信解像度」「受信データ圧縮形式」「先頭ページ管理ブロックアドレス」「最終ページ管理ブロックアドレス」の各項目を管理している。次ファイル管理ブロックアドレスと前ファイル管理ブロックアドレスによってキュー（待ち行列）が形成される。図５の例では、第１、第２の受信ファイル（それぞれファイル番号１，２）の「受信状態」が”完了”、第３の受信ファイル（ファイル番号３）の「受信状態」が”受信中”であり、第１の受信ファイルの「記録状態」が”出力中”、第２，第３の受信ファイルの「記録状態」が”未出力”となっている。第１，第２，第３の受信ファイルの「受信済みページ数」はそれぞれ”３ページ”，”２ページ”，”３ページ”であり、「記録済みページ数」は”０ページ”である。
【００３２】
ページ管理ブロック４０３は、各受信ファイル管理ブロック４０２の各ページについて生成され、「ページ番号」「次ページ管理ブロックアドレス」「前ページ管理ブロックアドレス」「受信状態」「記録状態」「受信ライン数」「格納時の圧縮方式」「データブロック数」「先頭画像データブロックアドレス」「最終画像データブロックアドレス」の各項目を管理している。図５の例では、受信ファイル１の第１，第２，第３の受信ページはすべて「受信状態」が”完了”であり、第１の受信ページの「記録状態」が”記録中”、他の受信ページの「記録状態」は”未出力”となっている。図５の例では、受信ファイル２および３のページ管理ブロックは図示省略しているが、受信ファイル１と同様にページ毎に各項目を管理している。
【００３３】
画像データブロック４０４は、各ページ管理ブロックの各画像データブロックについて生成され、「次データブロックアドレス」「前データブロックアドレス」「画像データ」の各項目からなる。
【００３４】
図６は、図５の各種データブロックの内容例２を示す。これは、例１の受信が記録紙ニアエンド状態で処理されたときのデータ保持状態を示している。すなわち、受信ファイル管理ブロック４０２の「受信済みページ数」および「記録済みページ数」の内容から分かるように、３ページ分の第１のファイルの１ページのみを記録し、ついで、２ページ分の第２のファイルの１ページ目のみを記録した状態を示している。第１のファイルに関するページ管理ブロック４０３は記録済みページが１ページとなったことから、ページ管理ブロックの個数が３から２へ減少している。
【００３５】
図７は、図５の各種データブロックの内容例３を示す。これは、図６の記録紙ニアエンド状態での処理に続いて、３ページ分の第３のファイルの１ページ目が”記録中”になった状態を示している。これは、ページ管理ブロック４０３の「記録状態」が”未出力”から”記録中”に変わったことによって分かる。
【００３６】
図８は、図５の各種データブロックの内容例４を示す。これは、記録紙が補充され記録を再開したときのデータ保持状態を示している。すなわち、受信ファイル管理ブロック４０２の記録状態に注目すると、第１のファイルは”出力禁止”から”出力中”に変わり、第２，第３のファイルは”出力中断”に変わっている。
【００３７】
このように、本発明では、記録紙が十分に存在する場合は受信データファイルの受信完了したページをページ管理ブロック４０３のページ管理情報に従って順に出力する。１ページ出力ごとにそのページに関するページ管理ブロック４０３と画像データブロック４０４は削除されイメージメモリは開放される。全ページの画像データをすべて出力し終わったファイルのファイル管理情報は削除される。
【００３８】
記録紙残量が少ないと判断された場合、出力中のファイルがすでに先頭ページを出力済みであればそのファイルは記録禁止状態とされ、記録紙が補充されるまで記録がなされない。
【００３９】
システムコントローラ部は、未出力のファイルのうちファイル管理ブロックキューの先頭のファイルを探し、記録状態を”出力中”にし、先頭ページを出力する。先頭ページを出力したそのファイルはその後”出力禁止”状態とする。このようにして、受信済みファイルは先頭ページのみを残して出力禁止状態となる。
【００４０】
記録紙が補充されると記録禁止状態だったファイルは”記録中断”状態になり、その先頭のファイルから順次”出力中”となって残りの全ページを出力する。
【００４１】
図９に、図４のメインループ中の記録処理（Ｓ１４）における具体的な処理の流れをフローチャートに示す。
【００４２】
受信画像ファイルが存在すれば（Ｓ２１，Ｙｅｓ）、記録紙の有無をチェックする（Ｓ２２）。受信画像ファイルがなければ、あるいは、記録紙がなければ、本処理を終了する。記録紙がある場合には、記録紙が「ニアエンド」かどうかをチェックする（Ｓ２３）。
【００４３】
ニアエンドと判定された場合、現在出力中のファイルがあるかをチェックする（Ｓ３４）。無ければステップＳ３７へ進む。あれば、その出力中ファイルは先頭ページを出力済みか否かをチェックする（Ｓ３５）。出力済みでなければ、後述するステップＳ２８へ移行する。出力済みであれば、出力中ファイルを”出力禁止”状態にする（Ｓ３６）。さらに未出力ファイルがあるか否かをチェックし（Ｓ３７）、なければ本処理を終了する。あれば、ファイルキュー内の未出力ファイルのうち、先頭のファイルを”出力中”にし（Ｓ３８）、ステップＳ２８へ移行する。
【００４４】
ステップＳ２３において記録紙がニアエンドではないと判定された場合、直前の状態がニアエンドであったかどうかをチェックする（Ｓ２４）。直前の状態がニアエンドであった場合には、現時点がニアエンド状態から記録紙が補充された直後であると判断し、”出力禁止”状態の受信ファイルがあれば、それらを”記録中断”状態に変更する（Ｓ２５）。ついで、”出力中”ファイルがあるかをチェックする（Ｓ２６）。出力中ファイルがなければ、”未出力”または”出力中断”状態のファイルを検索し、その先頭のファイルを”出力中”にする（Ｓ２７）。
【００４５】
その後、出力中ファイルのページキューの先頭ページが受信済みか否かをチェックする（Ｓ２８）。受信済みでなければ本処理を終了する。受信済みであれば、出力中ファイルのキューの先頭ページを”出力中”にする（Ｓ２９）。そこで、当該ページの出力処理を実行する（Ｓ３０）。この出力したページのデータ（画像データ）を消去し、当該ページ管理ブロックを削除する（Ｓ３１）。
【００４６】
その後、出力中ファイルが全ページ出力されたか否かをチェックする（Ｓ３２）。否であれば、そのまま本処理を終了する。全ページ出力されたならば、その受信ファイル管理情報を削除して（Ｓ３３）、本処理を終了する。
【００４７】
このような記録処理により、ニアエンド検出時の単ページ出力が可能となる。
【００４８】
次に、本発明の第２の実施の形態について説明する。この実施の形態では、出力モードとして、記録紙の残量が一定量以下になった場合、各受信画像情報の第１ページのみを選択して記録紙に記録し、残りのページはメモリに保持しておき、記録紙の残量が一定量を超えた時に記録紙に記録出力する第１の出力モードと、記録紙の残量に関わらず記録紙の存在するかぎり記録出力を許容する第２の出力モードとを所定の条件に基づいて選択するものである。
【００４９】
前記所定の条件としては、ユーザによる明示の指定、または、予め定められた時間帯が考えられる。後者の場合、例えば、通常は第２の出力モードを選んでおき、記録紙の補充が出来ないときや、夜間等にのみ第１の出力モードを自動的に働かせる。
【００５０】
図１０に本実施の形態における操作部監視処理の例を示す。ユーザの指示により、あるいはシステムの指示によりモード変更入力があったとき（Ｓ４１，Ｙｅｓ）、ニアエンド検出時単ページ出力を行う第１の出力モードが設定されたか否かをチェックする（Ｓ４２）。そうであれば、第１の出力モードを設定する（Ｓ４３）。以後、出力モードが変更されるまで、ニアエンド検出時は単ページ出力が行われる。否であれば、第２の出力モードを設定する（Ｓ４４）。以後、出力モードが変更されるまで、ニアエンド検出に関わらず、記録紙の最後まで出力が行われる。
【００５１】
なお、第１の出力モード時の警告では、記録紙の補充または出力モードの変更を指示する。出力モードの変更でもとりあえずの記録出力ができるからである。
【００５２】
次に、本発明の第３の実施の形態について説明する。上述したニアエンド時の単ページ出力を行った場合、ユーザは受信文書の残りのページがメモリ内に残っていることに直ちに気付かないおそれがある。したがって、本実施の形態では、記録紙の余白に所定の文字情報を付加する文字データ展開手段を設け、第１ページのみを記録したときは残りのページがメモリの中にあることを第１ページの余白部分に記録するようにするものである。文字情報は必ずしも通常の文字に限るものではなく、記号やマーク等であってもよい。
【００５３】
図１１にそのような文字情報の出力例を示す。この例では、記録紙８００の下側余白に「注：未出力ページあり」という文字情報８０２を記録している。なお、上部余白には、従来知られているような、送信日付、送信者表示、ページ表示を含む情報８０１が記録されている。
【００５４】
図１２は文字情報８１１にさらに管理番号（管理情報）８１２を追加記録したものである。ユーザは単ページ出力された記録紙を見て、記録紙を補充することなく、残りの記録紙を用いて強制的に記録出力を行いたい場合もありうる。そのような場合に、管理番号情報は、出力する対象となる受信ファイル（文書）を特定するために用いられる。
【００５５】
図１３は、図１２のような管理番号に基づいて特定の受信ファイルについて残りページの強制出力を行う場合の表示部の表示画面９００の表示例を示している。この表示例では、操作キー９０２のうちの「機能」キーを用いて「残りページ強制出力」の画面を開き、表示された強制出力対象のリストの中から矢印キーおよびセットキーを用いて特定の受信ファイルの指定、および、残りページの強制出力を行うことができる。図の例では、反転表示やハイライト表示、カーソルなどの強調表示９０１により１つの受信ファイルを特定できるようになっている。ここでは、発信者、残りページ数、受信日の情報もリストの情報に含めたが、管理番号のみであってもよい。また、表示内容およびそのレイアウト、操作の方法等はこれに限るものではなく、所期の目的が達成できれば任意の表示および操作の方法を利用できる。
【００５６】
図１３のようなリストに対して、「強制出力」ではなく「強制消去」を指示できるようにしてもよい。これは、例えば、１ページ目から当該受信ファイルが不要な広告情報であることが分かるような場合に、残りページの画像データを出力することなく消去可能とするものである。
【００５７】
以上、本発明の好適な実施の形態について説明したが、上記で言及した以外にも、種々の変形、変更を行うことが可能である。例えば、上記実施の形態では単ページ出力に代えて、比較的少ない複数ページ（例えば２ページ）の出力を行うことも可能である。
【００５８】
【発明の効果】
本発明によれば、装置内の記録紙が完全になくなる前に記録紙が残り少なくなったことを検出し、その場合に１通信で大量のページの受信を行い結果として紙無し状態になるような事態を防止する。これによって、後続の受信データの内容確認が出来なくなる事態を回避することが出来る。
【００５９】
出力モードを切り替えることにより、直ちに記録紙を補充出来るときは通常状態である第２の出力モードで記録出力を行い、補充が出来ないときや、夜間にのみ第１の出力モードで記録紙ニアエンド時の単ページ出力を行うことにより、利便性を高めることができる。
【００６０】
記録紙の残量が一定量以下になったときにその旨を表示してユーザに知らせることにより、ユーザは記録紙が補充できるかどうかチェックでき、必要に応じて出力モードを選択できる。
【００６１】
単ページ出力時に残りのページが記憶手段の中にあることを記録紙の余白に記録することにより、ユーザはそのページを見たとき、残りページがあることが直ちにわかり、記録紙補充後に出力される受信画像情報の見落としを防げる。
【００６２】
また、残りページを強制的に出力できるようにすることにより、先頭ページを見て重要な受信と判断した場合など、記録紙の残量に関係なく記録出力できるので、有効性が高まる。
【図面の簡単な説明】
【図１】本発明による実施の形態に係るファクシミリ装置の全体ブロック図である
【図２】図１に示したシステムコントローラ部２０の内部構成を示すブロック図である。
【図３】図１に示したプリントエンジン部３０の内部構成を示すブロック図である。
【図４】図１に示したシステムコントローラ部２０の処理のメインループを示すフローチャートである。
【図５】本発明の実施の形態において用いる各種データブロックの構造およびその内容例１を示す図である。
【図６】図５の各種データブロックの内容例２を示す図である。
【図７】図５の各種データブロックの内容例３を示す図である。
【図８】図５の各種データブロックの内容例４を示す図である。
【図９】図４のメインループ中の記録処理（Ｓ１４）における具体的な処理の流れを示すフローチャートである。
【図１０】本発明の実施の形態における操作部監視処理の例を示すフローチャートである。
【図１１】本発明の実施の形態における文字情報の出力例を示す図である。
【図１２】文字情報にさらに管理番号（管理情報）を追加記録した、文字情報の出力例を示す図である。
【図１３】図１２のような管理番号に基づいて特定の受信ファイルについて残りページ強制出力を行う場合の表示部の表示画面の表示例を示す図である。
【符号の説明】
１０　画像読取部
２０　システムコントローラ部
３０　プリントエンジン部
４０　操作部
【図１】
2004140501.tif 000003
【図２】
2004140501.tif 000004
【図３】
2004140501.tif 000005
【図４】
2004140501.tif 000006
【図５】
2004140501.tif 000007
【図６】
2004140501.tif 000008
【図７】
2004140501.tif 000009
【図８】
2004140501.tif 000010
【図９】
2004140501.tif 000011
【図１０】
2004140501.tif 000012
【図１１】
2004140501.tif 000013
【図１２】
2004140501.tif 000014
【図１３】
2004140501.tif 000015